(57)【要約】【課題】現状の通信網に影響を与えることなく、通信試験を可能とし、通信品質の向上を図る。【解決手段】複数の基地局３０、３１、３２、３３と送受信を行う携帯電話端末機１０の受信状態情報通知システムに、複数の基地局から通知される携帯電話機の受信状態情報を受信し、通知された受信状態情報の報告作成を行う携帯電話端末機受信状態報告部１７Ａと、基地局からの受信信号を基に基地局の受信状態を計測する計測部１４Ａと、携帯電話端末機受信状態報告部の報告作成と連携して計測部で計測された基地局の受信状態を携帯電話端末機から基地局に通知する基地局受信状態通知部１７Ｂとを備える。【選択図】  図１
2005006124.tif 000002
【特許請求の範囲】
【請求項１】
複数の基地局と送受信を行う携帯電話端末機の受信状態情報通知システムにおいて、
複数の基地局から通知される前記携帯電話機の受信状態情報を受信し、通知された受信状態情報の報告作成を行う携帯電話端末機受信状態報告部と、
前記基地局からの受信信号を基に基地局の受信状態を計測する計測部と、
前記携帯電話端末機受信状態報告部の報告作成と連携して前記計測部で計測された基地局の受信状態を前記携帯電話端末機から前記基地局に通知する基地局受信状態通知部とを備えることを特徴とする携帯電話端末機の受信状態情報通知システム。
【請求項２】
複数の基地局と送受信を行う携帯電話端末機の受信状態情報通知システムにおいて、
複数の基地局から携帯電話端末機の受信状態がフレームのヘッダ情報に含められ送信された無線信号を受信し、携帯電話端末から複数の基地局の受信状態がフレームのヘッダ情報に含められた無線信号を送信する入出力部と、
前記入出力部の受信信号を同期補足し、セルの電力のパスが高い複数の基地局からの受信信号を逆拡散処理し、逆拡散処理された信号を合成する逆拡散部と、
前記逆拡散された信号からフレームのヘッダ情報を抽出し、格納するヘッダ抽出格納部と、
前記ヘッダ抽出格納部からヘッダ情報を携帯電話端末機の受信状態として報告を作成する携帯電話端末機受信状態報告部と、
前記逆拡散部で逆拡散処理された信号の電力をそれぞれ計測し、前記逆拡散部に対してセルの電力のパスが高い複数の基地局を設定させる計測部と、
前記計測部で計測された信号の電力を基に基地局の受信状態の情報を前記フレームのヘッダ情報に含めて拡散処理し前記入出力部を介して基地局に通知する基地局受信状態通知部とを備えることを特徴とする携帯電話端末機の受信状態情報通知システム。
【請求項３】
前記逆拡散部は、前記入出力部の受信信号を同期補足し、セル内を指向性アンテナによってセクタ化したセクタの電力のパスが高い複数の基地局からの受信信号を逆拡散処理し、逆拡散処理された信号を合成し、前記計測部は前記逆拡散部で逆拡散処理された信号の電力をそれぞれ計測し、前記逆拡散部に対してセクタの電力のパスが高い複数の基地局を設定させることを特徴とする、請求項１に記載の携帯電話端末機の受信状態情報通知システム。
【請求項４】
１つの前記携帯電話端末機の受信情報が前記基地局から前記携帯電話端末機への前記フレームのヘッダの情報として変換され、１つの前記基地局の受信情報が前記携帯電話端末機から前記基地局への前記フレームのヘッダの情報として変換されることを特徴とする、請求項１に記載の携帯電話端末機の受信状態情報通知システム。
【請求項５】
１つの前記携帯電話端末機の受信情報が分割され、分割された受信情報が前記基地局から前記携帯電話端末機への前記フレームのヘッダの情報として変換され、１つの前記基地局の受信情報が分割され、分割された受信情報が前記携帯電話端末機から前記基地局への前記フレームのヘッダの情報として変換されることを特徴とする、請求項１に記載の携帯電話端末機の受信状態情報通知システム。
【請求項６】
複数の基地局と送受信を行う携帯電話端末機の受信状態情報通知方法において、
複数の基地局から通知される前記携帯電話機の受信状態情報を受信し、通知された受信状態情報の報告作成を行う工程と、
前記基地局からの受信信号を基に基地局の受信状態を計測する工程と、
前記携帯電話機の受信状態情報の報告作成と連携して、計測された基地局の受信状態を前記携帯電話端末機から前記基地局に通知する工程とを備えることを特徴とする携帯電話端末機の受信状態情報通知方法。
【請求項７】
複数の基地局と送受信を行う携帯電話端末機の受信状態情報通知方法において、
複数の基地局から携帯電話端末機の受信状態をフレームのヘッダ情報に含め送信された無線信号を受信する工程と、
受信信号を同期補足し、セルの電力のパスが高い複数の複数の基地局からの受信信号を逆拡散処理し、逆拡散処理された信号を合成する工程と、
前記逆拡散された信号からフレームのヘッダ情報を抽出し、格納する工程と、
格納されたヘッダ情報を携帯電話端末機の受信状態として報告を作成する工程と、
前記逆拡散部で逆拡散処理された信号の電力をそれぞれ計測する工程と、
前記計測部で計測された信号の電力を基に前記逆拡散部に対してセルの電力のパスが高い複数の基地局を設定する工程と、
前記計測部で計測された信号の電力を基に基地局の受信状態の情報を前記フレームのヘッダ情報に含めて拡散処理する工程と、
携帯電話端末から複数の基地局の受信状態をフレームのヘッダ情報に含めた無線信号を送信し、基地局に通知する工程とを備えることを特徴とする携帯電話端末機の受信状態情報通知方法。
【発明の詳細な説明】
【０００１】
【発明が属する技術分野】
本発明はネットワーク側の基地局を介して通話を行う携帯電話端末機に関する。特に、本発明は、基地局と携帯電話端末機の双方で接続先の受信状態の通知を行い、受信状態の把握を可能にする携帯電話端末機の受信状態情報通知システム及び方法に関する。
【０００２】
【従来の技術】
従来の無線システムの監視制御装置では、通信サービスに対する影響を少なくし、回線の限られた伝送容量を効率よく使用して端末局の状態を監視制御できるようにしている（例えば、特許文献１参照。）。
また、携帯電話の通話品質確認装置では、携帯電話機の通話品質、すなわち携帯電話機の繋がりにくさや一旦接続した通話が寸断したり切断したりする等の不具合を、実際の携帯電話機を用いて場所ごとに又時刻ごとに測定し、総合的な通話品質を確認するようにしている（例えば、特許文献２参照。）。
【０００３】
【特許文献１】
特開２００２−０１０３２７（段落００１６〜００１７、図１）
【特許文献２】
特開平１１−２６１４７６号公報（段落０００９〜００１０、図１）
【０００４】
【発明が解決しようとする課題】
ところで、携帯電話端末機の開発において、問題となるのが通信系の不具合解析が難しい点である。
特に、携帯電話端末機からの送信信号が正しくネットワーク側に届いているかどうかが難しい。
【０００５】
難しい理由として現状の通信方法では、携帯電話端末機はネットワーク側の状態が分からないし、ネットワーク側は携帯電話端末機の状態が分からないためどちらが原因で不具合となっているかの、切り分けが難しいからである。
例えば、携帯電話端末機側が正しいタイミングで正しいデータを送信していてもネットワーク側で受信できていなければ、携帯電話端末機としては送信していても、次シーケンスに移行しているがネットワーク側では受信できていないため受信待ち状態となり、システムとして不整合が生じるという問題が生じる。
【０００６】
このようになってしまうと、通信中に切断という現象となってしまう。
上記の特許文献１、２では端末局の状態を監視制御し、総合的な通話品質を確認するようにしているが、本発明の問題点である通信系の不具合解析が難しい点を解決することができない。
したがって、本発明は上記問題点に鑑みて、通信系の不具合解析が容易になる携帯電話端末機の受信状態通信システム及び方法を提供することを目的とする。
【０００７】
【課題を解決するための手段】
本発明は前記問題点を解決するために、複数の基地局と送受信を行う携帯電話端末機の受信状態情報通知システムにおいて、複数の基地局から通知される前記携帯電話機の受信状態情報を受信し、通知された受信状態情報の報告作成を行う携帯電話端末機受信状態報告部と、前記基地局からの受信信号を基に基地局の受信状態を計測する計測部と、前記携帯電話端末機受信状態報告部の報告作成と連携して前記計測部で計測された基地局の受信状態を前記携帯電話端末機から前記基地局に通知する基地局受信状態通知部とを備えることを特徴とする携帯電話端末機の受信状態情報通知システムを提供する。
【０００８】
この手段により、複数の基地局との通信を行いながら、ネットワーク内の複数の基地局の状態を得ると同時に、携帯電話端末機の受信状態をネットワーク側の複数の基地局に通知することが可能になるので、現状の通信網に影響を与えることなく、通信試験が可能となるため、通信品質の向上を図ることが可能になる。
さらに、複数の基地局と送受信を行う携帯電話端末機の受信状態情報通知システムにおいて、複数の基地局から携帯電話端末機の受信状態がフレームのヘッダ情報に含められ送信された無線信号を受信し、携帯電話端末から複数の基地局の受信状態がフレームのヘッダ情報に含められた無線信号を送信する入出力部と、前記入出力部の受信信号を同期補足し、セルの電力のパスが高い複数の基地局からの受信信号を逆拡散処理し、逆拡散処理された信号を合成する逆拡散部と、前記逆拡散された信号からフレームのヘッダ情報を抽出し、格納するヘッダ抽出格納部と、前記ヘッダ抽出格納部からヘッダ情報を携帯電話端末機の受信状態として報告を作成する携帯電話端末機受信状態報告部と、前記逆拡散部で逆拡散処理された信号の電力をそれぞれ計測し、前記逆拡散部に対してセルの電力のパスが高い複数の基地局を設定させる計測部と、前記計測部で計測された信号の電力を基に基地局の受信状態の情報を前記フレームのヘッダ情報に含めて拡散処理し前記入出力部を介して基地局に通知する基地局受信状態通知部とを備えることを特徴とする携帯電話端末機の受信状態情報通知システムを提供する。
【０００９】
この手段により、複数の基地局との通信を行いながら、ネットワーク内の複数の基地局の状態を得ると同時に、携帯電話端末機の受信状態をネットワーク側の複数の基地局に通知することが可能になるので、現状のＷ−ＣＤＭＡ方式の通信網に影響を与えることなく、通信試験が可能となるため、通信品質の向上を図ることが可能になる。
【００１０】
さらに、前記逆拡散部は、前記入出力部の受信信号を同期補足し、セル内を指向性アンテナによってセクタ化したセクタの電力のパスが高い複数の基地局からの受信信号を逆拡散処理し、逆拡散処理された信号を合成し、前記計測部は前記逆拡散部で逆拡散処理された信号の電力をそれぞれ計測し、前記逆拡散部に対してセクタの電力のパスが高い複数の基地局を設定させる。
【００１１】
この手段により、現状のＷ−ＣＤＭＡ方式の通信網に影響を与えることなく、セクタでの通信試験が可能となるため、通信品質の向上を図ることが可能になる。
さらに、１つの前記携帯電話端末機の受信情報が前記基地局から前記携帯電話端末機への前記フレームのヘッダの情報として変換され、１つの前記基地局の受信情報が前記携帯電話端末機から前記基地局への前記フレームのヘッダの情報として変換される。
【００１２】
この手段により、携帯電話端末機、基地局への受信情報の通知が可能になる。
さらに、１つの前記携帯電話端末機の受信情報が分割され、分割された受信情報が前記基地局から前記携帯電話端末機への前記フレームのヘッダの情報として変換され、１つの前記基地局の受信情報が分割され、分割された受信情報が前記携帯電話端末機から前記基地局への前記フレームのヘッダの情報として変換される。
【００１３】
この手段により、受信状態を通知する回数を削減し、ユーザーデータをより多く送信することが可能になる。
さらに、本発明は、複数の基地局と送受信を行う携帯電話端末機の受信状態情報通知方法において、複数の基地局から通知される前記携帯電話機の受信状態情報を受信し、通知された受信状態情報の報告作成を行う工程と、前記基地局からの受信信号を基に基地局の受信状態を計測する工程と、前記携帯電話機の受信状態情報の報告作成と連携して、計測された基地局の受信状態を前記携帯電話端末機から前記基地局に通知する工程とを備えることを特徴とする携帯電話端末機の受信状態情報通知方法を提供する。
【００１４】
この手段により、複数の基地局との通信を行いながら、ネットワーク内の複数の基地局の状態を得ると同時に、携帯電話端末機の受信状態をネットワーク側の複数の基地局に通知することが可能になるので、現状の通信網に影響を与えることなく、通信試験が可能となるため、通信品質の向上を図ることが可能になる。
さらに、本発明は、複数の基地局と送受信を行う携帯電話端末機の受信状態情報通知方法において、複数の基地局から携帯電話端末機の受信状態をフレームのヘッダ情報に含め送信された無線信号を受信する工程と、受信信号を同期補足し、セルの電力のパスが高い複数の複数の基地局からの受信信号を逆拡散処理し、逆拡散処理された信号を合成する工程と、前記逆拡散された信号からフレームのヘッダ情報を抽出し、格納する工程と、格納されたヘッダ情報を携帯電話端末機の受信状態として報告を作成する工程と、前記逆拡散部で逆拡散処理された信号の電力をそれぞれ計測する工程と、前記計測部で計測された信号の電力を基に前記逆拡散部に対してセルの電力のパスが高い複数の基地局を設定する工程と、前記計測部で計測された信号の電力を基に基地局の受信状態の情報を前記フレームのヘッダ情報に含めて拡散処理する工程と、携帯電話端末から複数の基地局の受信状態をフレームのヘッダ情報に含めた無線信号を送信し、基地局に通知する工程とを備えることを特徴とする携帯電話端末機の受信状態情報通知方法を提供する。
【００１５】
この手段により、複数の基地局との通信を行いながら、ネットワーク内の複数の基地局の状態を得ると同時に、携帯電話端末機の受信状態をネットワーク側の複数の基地局に通知することが可能になるので、現状のＷ−ＣＤＭＡ方式の通信網に影響を与えることなく、通信試験が可能となるため、通信品質の向上を図ることが可能になる。
【００１６】
【発明の実施の形態】
以下、本発明の実施の形態について図面を参照して説明する。
図１は本発明に係る携帯電話端末機と基地局とのネットワークを説明する図である。なお、全図を通して同一の構成要素には同一の番号、符号を付して説明を行う。
【００１７】
本図に示すように、基地局３０、３１、３２、３３がセル３０Ａ、３１Ａ、３２Ａ、３３Ａのほぼ中心にそれぞれ位置し、セル３０Ａ、３１Ａ、３２Ａ、３３Ａが互いに隣接しそれぞれの境界で通信範囲が重複するように設定される。
携帯電話端末機１０は、Ｗ−ＣＤＭＡ（広帯域−符号分割多元接続）方式を採用しているので、隣接するセルで同一の周波数を利用でき、セル境界付近では複数の基地局からの信号を受信することが可能である。
【００１８】
図２は本発明に係る携帯電話端末機１０の受信状態情報通知システムの概略構成を示すブロック図である。
本図に示すように、携帯電話端末機１０の内部には、入出力部１１が設けられ、入出力部１１では複数の基地局に対して無線信号が受信される。
複数の基地局から受信する信号のフレームには、フレームのヘッダ情報として携帯電話端末機１０の受信状態の情報が含まれる。
【００１９】
入出力部１１にはサーチャー部１２が接続され、サーチャー部１２では入出力部１１から受信信号が入力されると、同期補足を行い、各セル毎のタイミング情報、スクランブルコードが同定される。
サーチャー部１２には制御部１７が接続され、制御部１７ではサーチャー部１２から調べられた結果が報告され、サーチャー部１２で得られた結果を用いて有効となっているセルの電力が高いパスのタイミング情報、スクランブルコード、チャネライゼーションコードを後述する逆拡散部１３に通知する。
【００２０】
入出力部１１には複数の逆拡散部１３が接続され、逆拡散部１３では入出力部１１の出力信号が入力され、制御部１７より通知された情報を用いて有効セルの有効パスに対する逆拡散処理が行われる。
複数の逆拡散部１３にはレイク受信処理部１４が接続され、レイク受信処理部１４は計測部１４Ａ、ヘッダー抽出部１４Ｂ、合成部１４Ｃからなる。
【００２１】
計測部１４Ａでは、有効セルの有効パスに対して各セル毎に得られた結果を基に各セル毎に電力が計測され、携帯電話端末機１０の受信状態が計測される。制御部１７では、計測部１４Ａからの電力情報を基に、有効となっているセルの電力が高いパスであるか否かの判断が行われる。
ヘッダー抽出部１４Ｂでは、有効セルの有効パスに対して各セル毎に得られた結果を基に各セル毎に後述する物理レイヤのＰｈｙｓｉｃａｌ  ＣｈａｎｎｅｌＤａｔａのフレームにおける先頭のヘッダ情報のみが抽出される。
【００２２】
この抽出されたヘッダ情報には携帯電話端末機１０からネットワーク側の基地局３０、３１、３２、３３への送信信号に対して、ネットワーク側の基地局３０、３１、３２、３３での受信状態の情報が含まれる。
合成部１４Ｃでは有効セルの有効パスに対して各セル毎に得られた結果を基にＰｈｙｓｉｃａｌ  Ｃｈａｎｎｅｌ  Ｄａｔａのフレーム先頭のヘッダ情報を除くフレームの各セルの情報が保存され全て足し合わされて合成される。これにより、信頼度の高いユーザーデータが得られる。
【００２３】
レイク受信処理部１４の後段にはヘッダー格納部１５が接続され、ヘッダー格納部１５では、レイク受信処理部１４のヘッダー抽出部１４Ｂにより抽出されたＰｈｙｓｉｃａｌ  Ｃｈａｎｎｅｌ  Ｄａｔａのフレーム先頭のヘッダ情報が格納され、制御部１７に出力される。
制御部１７には携帯電話端末機受信状態報告部１７Ａが設けられ、携帯電話端末機受信状態報告部１７Ａでは、ヘッダー格納部１５からのヘッダ情報をネットワーク側の基地局３０、３１、３２、３３の受信状態として報告を作成しデバック時を含む要求時に外部に報告する制御が行われる。
【００２４】
これにより、携帯電話端末機１０からの送信信号がネットワーク側の基地局３０、３１、３２、３３に届いているか否かの判断が可能になる。
さらに、レイク受信処理部１４の後段にはデコーダ１６が接続され、デコーダ１６ではレイク受信処理部１４の合成部１４Ｃからの合成情報が復号化され、制御部１７に出力される。制御部１７ではデコーダ１６で復号化された情報をユーザーデータとして出力する制御が行われる。
【００２５】
制御部１７にはエンコーダ１８が接続され、エンコーダ１８では制御部１７からのユーザーデータが送信データとして入力されエンコード処理が行われる。
制御部１７には基地局受信状態通知部１７Ｂが設けられ、基地局受信状態通知部１７Ｂでは、計測部１４から計測された電力情報に基づいてネットワーク側の基地局３０、３１、３２、３３の受信状態を送信タイミング毎に引き取り、基地局３０、３１、３２、３３から携帯電話端末機１０への送信信号に対して基地局３０、３１、３２、３３の受信状態の情報を基地局３０、３１、３２、３３に通知するためにエンコーダ１８に出力し、エンコード処理が行われるようにする。
【００２６】
この通知により、ネットワーク側の基地局３０、３１、３２、３３からの送信信号が携帯電話端末機１０側に届いているか否かの判断が可能になる。
エンコーダ１８では、通知すべき受信状態のデータをＰｈｙｓｉｃａｌ  Ｃｈａｎｎｅｌ  Ｄａｔａのフレームのヘッダに、送信すべきユーザーデータをＰｈｙｓｉｃａｌ  Ｃｈａｎｎｅｌ  Ｄａｔａのヘッダ以外のフレームに変換する。
【００２７】
エンコーダ１８には拡散部１９が接続され、拡散部１９では基地局を含むネットワークより指定されたスクランブリングコード、チャネライゼーションコードを使用して、エンコーダ１８でエンコード処理され、変換されたたＰｈｙｓｉｃａｌ  Ｃｈａｎｎｅｌ  Ｄａｔａのフレームに対して拡散処理が行われる。
拡散部１９で拡散処理されたデータが、入出力部１１にてアナログ変換され無線電波として送信される。
このように、基地局受信状態通知部１７Ｂの通知が携帯電話端末機受信状態報告部１７Ａの報告作成と連携して行われる。
【００２８】
図３はＰｈｙｓｉｃａｌ  Ｃｈａｎｎｅｌ  Ｄａｔａ例を説明する図である。本図に示すように、一例として、８０ｍｓｅｃのＴｒａｎｓｍｉｓｓｉｏｎ  Ｔｉｍｅ  Ｉｎｔｅｒｖａｌを有するＴｒａｎｓｐｏｒｔ  Ｃｈａｎｅｎｌ毎に、ユーザーデータであるＰｈｙｓｉｃａｌ  Ｃｈａｎｎｅｌ  Ｄａｔａ  ＃０、Ｐｈｙｓｉｃａｌ  Ｃｈａｎｎｅｌ  Ｄａｔａ  ＃１、Ｐｈｙｓｉｃａｌ  Ｃｈａｎｎｅｌ  Ｄａｔａ  ＃２、Ｐｈｙｓｉｃａｌ  Ｃｈａｎｎｅｌ  Ｄａｔａ  ＃３とこれらのヘッダからなるフレームがそれぞれ形成される。
【００２９】
ここに、Ｐｈｙｓｉｃａｌ  Ｃｈａｎｎｅｌ  Ｄａｔａ  ＃０、Ｐｈｙｓｉｃａｌ  Ｃｈａｎｎｅｌ  Ｄａｔａ  ＃１、Ｐｈｙｓｉｃａｌ  Ｃｈａｎｎｅｌ  Ｄａｔａ  ＃２、Ｐｈｙｓｉｃａｌ  Ｃｈａｎｎｅｌ  Ｄａｔａ  ＃３は、携帯電話端末機１０と基地局３０、３１、３２、３３の間で行われる送受信データである。
【００３０】
このように、Ｔｒａｎｓｐｏｒｔ  ＣｈａｎｅｎｌのＰｈｙｓｉｃａｌ  Ｃｈａｎｎｅｌ  Ｄａｔａ領域にフレーム毎に受信状態を通知するようにしている。
例えば、基地局３０から携帯電話端末機１０に対してＰｈｙｓｉｃａｌ  Ｃｈａｎｎｅｌ  Ｄａｔａ  ＃０とそのヘッダの受信、基地局３１から携帯電話端末機１０に対してＰｈｙｓｉｃａｌ  Ｃｈａｎｎｅｌ  Ｄａｔａ  ＃１とそのヘッダの受信、基地局３２から携帯電話端末機１０に対してＰｈｙｓｉｃａｌ  Ｃｈａｎｎｅｌ  Ｄａｔａ  ＃２とそのヘッダの受信、基地局３３から携帯電話端末機１０に対してＰｈｙｓｉｃａｌ  Ｃｈａｎｎｅｌ  Ｄａｔａ  ＃３とそのヘッダの受信が行われる。
【００３１】
逆に、携帯電話端末機１０から基地局３０への送信に対してＰｈｙｓｉｃａｌＣｈａｎｎｅｌ  Ｄａｔａ  ＃０とそのヘッダの送信、携帯電話端末機１０から基地局３１への送信に対してＰｈｙｓｉｃａｌ  Ｃｈａｎｎｅｌ  Ｄａｔａ  ＃１とそのヘッダの送信、携帯電話端末機１０から基地局３２への送信に対してＰｈｙｓｉｃａｌ  Ｃｈａｎｎｅｌ  Ｄａｔａ  ＃２とそのヘッダの送信、携帯電話端末機１０から基地局３３への送信に対してＰｈｙｓｉｃａｌ  Ｃｈａｎｎｅｌ  Ｄａｔａ  ＃３とそのヘッダの送信が行われる。
【００３２】
ヘッダはＳｙｓｔｅｍ  Ｔｉｍｉｎｇ、受信系ＳＴＡＴＵＳ、送信系ＳＴＡＴＵＳ、ＥｒｒｏｒＳＴＡＴＵＳからなる。ヘッダは、例えば、２０ｂｉｔｓの大きさであり、この例では、８０ｍｓｅｃのＴｒａｎｓｍｉｓｓｉｏｎ  ＴｉｍｅＩｎｔｅｒｖａｌでは、４つのヘッダが存在するので、合計８０ｂｉｔｓとなる。
【００３３】
携帯電話端末機１０が受信する場合には、携帯電話端末機１０では受信系ＳＴＡＴＵＳ、ＥｒｒｏｒＳＴＡＴＵＳからネットワーク側の基地局３０、３１、３２、３３の受信状態が得られる。
携帯電話端末機１０が送信する場合には、ネットワーク側の基地局３０、３１、３２、３３では送信系ＳＴＡＴＵＳ、ＥｒｒｏｒＳＴＡＴＵＳから携帯電話端末機１０の受信状態が得られる。
【００３４】
図４は図１における携帯電話端末機１０で受信状態情報通知システムの一連の動作例を説明するフローチャートである。
本図に示すように、ステップＳ５１において、携帯電話端末機１０の入出力部１１では、ネットワーク側の基地局３０、３１、３２、３３から受信を行う。
ステップＳ５２において、サーチャー部１２により各セル毎のスクランブルコード等が同定される。
【００３５】
ステップＳ５３において、計測部１４Ａにより携帯電話端末機１０の受信状態が計測される。
ステップＳ５４において、逆拡散部１３により逆拡散処理が行われる。
ステップＳ５５において、逆拡散処理後、ヘッダー抽出部１４Ｂにより、ネットワーク側の基地局３０、３１、３２、３３から通知された携帯電話端末機１０の受信状態を含むヘッダ情報が抽出される。
ステップＳ５６において、携帯電話端末機受信状態報告部１７Ａにより携帯電話端末機１０の受信状態が報告作成され、デバック時のような要求時に携帯電話端末機１０の受信状態が外部に出力される。
【００３６】
ステップＳ５７において、計測部１４Ａの電力計測に基づき、通知すべきネットワーク側の基地局３０、３１、３２、３３の受信状態がヘッダの情報に変換される。
ステップＳ５８において、拡散部１９により、ネットワークより指定されるスクランブルコード等を用いて、通信すべき基地局３０、３１、３２、３３の受信状態をヘッダに含むフレームの拡散処理が行われる。
ステップＳ５９において、入出力部１１により、通知すべき基地局３０、３１、３２、３３の受信状態のヘッダを含むフレームの送信データが送信される。
【００３７】
このようにして、本発明によれば、複数の基地局との通信を行いながら、複数基地局の個々の情報をそれぞれ受信することにより、ネットワーク内の複数の基地局の状態を得ると同時に、送信データ中に内部状態又は受信状態を示す情報を付加して送信することにより、携帯電話端末機の受信状態をネットワーク側の複数の基地局に通知することが可能になるので、現状の通信網に影響を与えることなく、通信試験が可能となるため、通信品質の向上を図ることが可能になる。
次にセル内を指向性アンテナによってセクタ化した場合の本発明の適用について説明する。
【００３８】
図５は図１の変形例のネットワークを説明する図である。本図に示すように、基地局３０のセル３０Ａではアンテナ指向性を考慮してセクタ３０Ａ−１、３０Ａ−２、３０Ａ−３が分割される。
基地局３１のセル３１Ａではアンテナ指向性を考慮してセクタ３１Ａ−１、３１Ａ−２、３１Ａ−３が分割される。
【００３９】
基地局３２のセル３２Ａではアンテナ指向性を考慮してセクタ３２Ａ−１、３２Ａ−２、３２Ａ−３が分割される。
基地局３３のセル３３Ａではアンテナ指向性を考慮してセクタ３３Ａ−１、３３Ａ−２、３３Ａ−３が分割される。
本図に示す携帯電話端末機１０の場合、セクタ３０Ａ−２、３３Ａ−２、３１Ａ−２、３２Ａ−１からの電波が受信の対象になる。
【００４０】
各セクタ毎の電力の高いパスが調べられ、前述と同様に携帯電話端末機の受信状態情報通知が行われる。
図６は図３における変形例のＰｈｙｓｉｃａｌ  Ｃｈａｎｎｅｌ  Ｄａｔａ例を説明する図である。
本図に示すように、図３と比較して、携帯電話端末機１０から基地局３０、３１、３２、３３への受信状態情報の個々のヘッダ、基地局３０、３１、３２、３３から携帯電話端末機１０への受信状態情報の個々のヘッダがＴｒａｎｓｐｏｒｔ  Ｃｈａｎｎｅｌ毎に通知が行われ、さらに、個々のヘッダに含まれる受信状態が分割され、分割された受信状態を含むヘッダがＰｈｙｓｉｃａｌ  Ｃｈａｎｎｅｌ  Ｄａｔａと共に１つのフレームに構成される。
【００４１】
一例として、Ｔｒａｎｓｍｉｓｓｉｏｎ  Ｔｉｍｅ  Ｉｎｔｅｒｖａｌを有するＴｒａｎｓｐｏｒｔ  Ｃｈａｎｅｎｌ毎に、Ｐｈｙｓｉｃａｌ  Ｃｈａｎｎｅｌ  Ｄａｔａ  ＃０とＳｙｓｔｅｍ  Ｔｉｍｉｎｇのヘッダからなるフレーム、Ｐｈｙｓｉｃａｌ  Ｃｈａｎｎｅｌ  Ｄａｔａ  ＃１と受信系ＳＴＡＴＵＳからなるフレーム、Ｐｈｙｓｉｃａｌ  Ｃｈａｎｎｅｌ  Ｄａｔａ  ＃２と送信系ＳＴＡＴＵＳからなるフレーム、Ｐｈｙｓｉｃａｌ  Ｃｈａｎｎｅｌ  Ｄａｔａ  ＃３とＥｒｒｏｒＳＴＡＴＵＳからなるフレームが形成される。
【００４２】
この場合、Ｔｒａｎｓｐｏｒｔ  ＣｈａｎｎｅｌのＴｒａｎｓｍｉｓｓｉｏｎＴｉｍｅ  Ｉｎｔｅｒｖａｌで、ヘッダ情報が２０ｂｉｔｓとなり、図３では８０ｂｉｔｓ必要であったことと比較して、ヘッダ情報量が少なくなる。
このようにして、図３と比較して、受信状態を通知する回数を削減し、１回に通知すべきヘッダ情報量を少なくし、ユーザーデータを省略する数が少なくでき、より多くの送信量を確保でき、より信頼度のあるユーザーデータをやり取りすることが可能になる。
【００４３】
以上の説明では、Ｗ−ＣＤＭＡ方式を用いて説明したが、この方式に限定されず、本発明は、他の方式、例えば、ＰＤＣ（Ｐｅｒｓｏｎａｌ  Ｄｉｇｉｔａｌ
Ｃｅｌｌｕｌａｒ）方式でも適用可能である。
【００４４】
【発明の効果】
以上説明したように、本発明によれば、複数の基地局から携帯電話端末機の受信状態をフレームのヘッダ情報に含め送信された無線信号を受信し、受信信号を同期補足し、セルの電力のパスが高い複数の基地局からの受信信号を逆拡散処理し、逆拡散処理された信号を合成し、逆拡散された信号からフレームのヘッダ情報を抽出し、格納し、格納されたヘッダ情報を携帯電話端末機の受信状態として報告を作成し、逆拡散部で逆拡散処理された信号の電力をそれぞれ計測し、計測部で計測された信号の電力を基に逆拡散部に対してセルの電力のパスが高い複数の基地局を設定し、計測部で計測された信号の電力を基に基地局の受信状態の情報をフレームのヘッダ情報に含めて拡散処理し、携帯電話端末から複数の基地局の受信状態をフレームのヘッダ情報に含めた無線信号を送信し、基地局に通知するようにしので、複数の基地局との通信を行いながら、ネットワーク内の複数の基地局の状態を得ると同時に、携帯電話端末機の受信状態をネットワーク側の複数の基地局に通知することが可能になるので、現状のＷ−ＣＤＭＡ方式の通信網に影響を与えることなく、通信試験が可能となるため、通信品質の向上を図ることが可能になる。
【図面の簡単な説明】
【図１】本発明に係る携帯電話端末機と基地局とのネットワークを説明する図である。
【図２】本発明に係る携帯電話端末機１０の受信状態情報通知システムの概略構成を示すブロック図である。
【図３】Ｐｈｙｓｉｃａｌ  Ｃｈａｎｎｅｌ  Ｄａｔａ例を説明する図である。
【図４】図１における携帯電話端末機１０で受信状態情報通知システムの一連の動作例を説明するフローチャートである。
【図５】図１の変形例のネットワークを説明する図である。
【図６】図３における変形例のＰｈｙｓｉｃａｌ  Ｃｈａｎｎｅｌ  Ｄａｔａ例を説明する図である。
【符号の説明】
１０…携帯電話端末機
１１…入出力部
１２…サーチャー部
１３…逆拡散部
１４…レイク受信処理部
１４Ａ…計測部
１４Ｂ…ヘッダー抽出部
１４Ｃ…合成部
１５…ヘッダー格納部
１６…デコーダ
１７…制御部
１７Ａ…携帯電話端末機受信状態報告部
１７Ｂ…基地局受信状態通知部
１８…エンコーダ
１９…拡散部
【図１】
2005006124.tif 000003
【図２】
2005006124.tif 000004
【図３】
2005006124.tif 000005
【図４】
2005006124.tif 000006
【図５】
2005006124.tif 000007
【図６】
2005006124.tif 000008